(57)【要約】【課題】タイヤチップを利用して車両や電車から発せられる交通振動を低減する振動低減工法において、かかる交通振動を効率よく低減することができるとともに、施工後更なる沈下が発生しても全体が均一に沈下することで対応が容易になる振動低減工法を提供する。【解決手段】上面開放型の下部容器本体２と、下部容器本体２に対しスライド自在の噛み合わせ部６を有する蓋体４とからなる型枠容器の該下部容器本体２内に、タイヤチップ３を中詰め材として該下部容器本体２の上面からはみ出す状態で山盛りにして充填する中詰め材充填工程と、下部容器本体２に蓋体４を、上部からの加重に対して中詰め材が圧縮されて噛み合わせ部６がスライドできるように被せて施工ユニット１を形成する施工ユニット形成工程と、施工ユニット１を施工場所にて施工する施工工程とを含む。【選択図】図１
2008133642.tif 000002
【特許請求の範囲】
【請求項１】
上面開放型の下部容器本体と、該下部容器本体に対しスライド自在の噛み合わせ部を有する蓋体とからなる型枠容器の該下部容器本体内に、タイヤチップを中詰め材として該下部容器本体の上面からはみ出す状態で山盛りにして充填する中詰め材充填工程と、
前記下部容器本体に前記蓋体を、上部からの加重に対して前記中詰め材が圧縮されて前記噛み合わせ部がスライドできるように被せて施工ユニットを形成する施工ユニット形成工程と、
前記施工ユニットを施工場所にて施工する施工工程と、
を含むことを特徴とする振動低減工法。
【請求項２】
前記施工工程において、前記型枠容器上に覆土帽子層を形成する請求項１記載の振動低減工法。
【請求項３】
前記覆土帽子層上に道路基礎層を施工する請求項２記載の振動低減工法。
【請求項４】
前記覆土帽子層上に鉄道軌道を施工する請求項２記載の振動低減工法。
【請求項５】
前記型枠容器がコンクリート製である請求項１〜４のうちいずれか一項記載の振動低減工法。
【請求項６】
前記型枠容器が金属製である請求項１〜４のうちいずれか一項記載の振動低減工法。
【請求項７】
前記型枠容器が複数列の部屋に分割されている請求項１〜６のうちいずれか一項記載の振動低減工法。
【請求項８】
前記中詰め材に汎用地盤材が混入されている請求項１〜７のうちいずれか一項記載の振動低減工法。
【発明の詳細な説明】
【技術分野】
【０００１】
本発明は、タイヤチップを利用して車両や電車から発せられる交通振動を効果的に低減することができる振動低減工法に関する。
【背景技術】
【０００２】
近年、廃タイヤまたはタイヤチップを用いて交通振動を低減しようとする試みがなされており、例えば、特許文献１では、振動を発するかまたは振動を受ける構造物の周辺に伝播する振動を防止、低減するための防振工法として、構造物の直下または周辺に、周辺地盤よりも剛性の高い硬質材とゴム弾性材とを隣接させて埋設する工法が提案されている。また、タイヤシュレッズを軽量土として用いる試みも米国で行われている。
【特許文献１】特開２００４‐１５６２５９号公報（特許請求の範囲等）
【発明の開示】
【発明が解決しようとする課題】
【０００３】
しかしながら、タイヤチップを軽量性または振動低減等を目的に路盤・路床材として使用する場合、タイヤチップ間に残る空隙とゴムの弾性により、施工後の沈下の制御が難しく、また、十分な地盤強度（ＣＢＲ）が得られないといった問題があった。
【０００４】
また、タイヤチップは振動ローラ等のバイブレーションでは締め固めを有効に行うことができないといった問題もあった。かかる欠点は、一定厚の土の層を被せるなどの覆土帽子によりある程度改善することができるものの、依然として幅広い利用の設計・施工の制約要因となっている。
【０００５】
そこで本発明の目的は、タイヤチップを利用して車両や電車から発せられる交通振動を低減する振動低減工法において、かかる交通振動を効率よく低減することができるとともに、施工後更なる沈下が発生しても全体が均一に沈下することで対応が容易になる振動低減工法を提供することにある。
【課題を解決するための手段】
【０００６】
上記課題を解決するために、本発明の振動低減工法は、上面開放型の下部容器本体と、該下部容器本体に対しスライド自在の噛み合わせ部を有する蓋体とからなる型枠容器本体の該下部容器本体内に、タイヤチップを中詰め材として該下部容器の上面からはみ出す状態で山盛りにして充填する中詰め材充填工程と、
前記下部容器本体に前記蓋体を、上部からの加重に対して前記中詰め材が圧縮されて前記噛み合わせ部がスライドできるように被せて施工ユニットを形成する施工ユニット形成工程と、
前記施工ユニットを施工場所にて施工する施工工程と、
を含むことを特徴とするものである。
【０００７】
本発明の振動低減工法においては、前記施工工程において、型枠容器上に覆土帽子層を好適に形成することができ、さらに覆土帽子層上に道路基礎層または鉄道軌道を好適に施工することができる。また、前記型枠容器は、コンクリート製または金属製とすることができる。さらに、型枠容器が複数列の部屋に分割されていてもよく、また、中詰め材に汎用地盤材が混入されていてもよい。
【発明の効果】
【０００８】
本発明によれば、上部に覆土帽子層や道路基礎層・鉄道軌道等を施工していくに連れ、タイヤチップの圧縮が進行し、よく締め固めの効いた頑丈な地盤が得られるとともに、車両や電車から発せられる交通振動を効率良く低減することができる。また、上面がフラットな厚い層であるため、施工後更なる沈下が発生しても、部位毎にばらついた沈下ではなく、全体が均一に沈下し、対応が容易となる。さらに、本発明の振動低減工法は強固な軽量盛土の造成に用いることができる。
【発明を実施するための最良の形態】
【０００９】
（実施形態１）
以下に、図面を参照して本発明の好適実施の形態について説明する。図１は、振動低減工法に使用する施工ユニット１の断面図、図２は、施工ユニット１の形成手順を示す断面図、図３は施工ユニットの形成手順を示す斜視図である。
【００１０】
先ず、本発明の振動低減工法の中詰め材充填工程では、上面開放型の下部容器本体２と、該下部容器本体２に対しスライド自在の噛み合わせ部６を有する蓋体４とからなる型枠容器を用意する。この型枠容器においては、蓋体４の内周径が下部容器本体２の外周よりやや大きく形成され、下部容器本体２の外周に対し蓋体４の噛み合わせ部６が遊嵌されるようになっている。この下部容器本体２内に、タイヤチップ（中詰め材）３を、図２および図３に示すように、下部容器２の上面からはみ出す状態で山盛りにして詰め込む。
【００１１】
下部容器本体２と蓋体４とからなる型枠容器は、車両や電車から発せられる交通振動の低減を目的とする場合、好ましくは幅０．５〜１０ｍ、奥行き１〜２０ｍ、高さ０．３〜５ｍ、より好ましくは、幅１〜５ｍ、奥行き１．５〜１０ｍ、高さ０．５〜３ｍである。
【００１２】
また、下部容器本体２と蓋体４の材質はコンクリートまたは鉄等の金属の耐久性に優れた硬質部材とすることが好ましく、厚さはコンクリートの場合、好ましくは３〜２０ｃｍであり、鉄の場合は、好ましくは０．５〜３ｃｍである。
【００１３】
さらに、型枠容器内に収容されるタイヤチップ３は、ロール破砕により、ランダムなサイズ分布、形状で得られる通常タイヤシュレッズと呼ばれるもの、大型タイヤ、小型タイヤを１／１６、或いは１／３２と扇状にカットしたカット品と呼ばれるもの、いずれも使用可能である。また、タイヤチップサイズは、長径部分が、好ましくは１０〜３００ｍｍ、より好ましくは２０〜２００ｍｍ、更により好ましくは３０〜１５０ｍｍである。
【００１４】
なお、下部容器本体２内には、用途等に応じ、中詰め材としてタイヤチップ３に、土、砂等の汎用地盤材を適宜混入することも可能である。
【００１５】
次いで、施工ユニット形成工程では、下部容器本体２に蓋体４を、上部からの加重に対してタイヤチップ（中詰め材）３が圧縮されて噛み合わせ部６がスライドできるように被せる。即ち、図１に示すように、上部から蓋体４を被せることで、タイヤチップ（中詰め材）３が圧縮されつつも、下部容器本体２と蓋体３との間には空隙ｄが生じるようにする。これにより、上部に覆土帽子層や道路基礎層・鉄道軌道等を施工していくに連れ、タイヤチップ３の圧縮が進行し、よく締め固めの効いた頑丈な地盤が得られる。
【００１６】
施工工程においては、施工ユニット１を、例えば、クレーンを用いて施工場所に設置し、用途に応じ適宜施工ユニット１上に覆土帽子層を形成し、さらに覆土帽子層上に道路基礎層、あるいは鉄道軌道を施工する。これにより、蓋体４の上面がフラットな厚い層であるため、施工後に更なる沈下が発生しても、部位毎にばらついた沈下ではなく全体が均一に沈下し対応が容易になり、かつ、車両や電車から発せられる交通振動を効率よく低減することができる。
【００１７】
（実施形態２）
図４は、本発明の他の好適実施形態の施工ユニットの断面図である。
図４に示す型枠容器は、下部容器本体２の側壁上部に凹状の切込部５を設け、蓋体４の下面に、切込部５に遊嵌される噛み合わせ部（突辺）６を形成することで蓋体４をスライドできる状態となっている。その他の点はすべて実施形態１の型枠容器と同様にして施工ユニット１を形成することができる。かかる施工ユニット１を用いて実施形態１と同様の効果を得ることができる。
【００１８】
（実施形態３）
図５は、本発明の更に他の好適実施形態の複数列配列型の施工ユニットの断面図である。図５に示す型枠容器は、複数列（図示する例では二列）の部屋に分割されている。即ち、下部容器本体１１の中央部に立設部１２が形成され、この立設部１２に切込部１３が設けられ、さらに、蓋体１５の中央下部に、切込部１３と遊嵌する噛み合わせ部（突辺）１４が設けられている。なお、図示する例では、実施形態２と同様に、下部容器本体１１の側壁上部に凹状の切込部が設けられ、蓋体１５の下面に、当該切込部に遊嵌される突辺が形成されているが、実施形態１の噛み合わせ部を蓋体１５に設けてもよい。
【００１９】
実施形態３に係る型枠容器は、実施形態１および実施形態２に係る型枠容器に比べ、より大きい施工ユニット１０を形成することができるが、型枠容器の形状以外はすべて実施形態１および２と同様にして所望の効果を得ることができる。
【００２０】
図５に示す施工ユニット１０を用いて、交通振動が低減される様子を模式的に図６に示す。図６に示すように、実施形態３の施工ユニット１０は、比較的幅の広い道路基礎層や鉄道軌道等を施工することができる。施工にあたっては、施工ユニット１０をクレーンで施工場所に施工する。次いで、覆土帽子を形成後、一定期間養生させて沈下の安定を図る。例えば、道路の場合には、路盤の施工、基層の施工、表層舗装施工を順次行う。施工ユニット１０を用いることで、軽量（タイヤチップの真比重１．２〜１．３、嵩比重０．５５〜０．８）で強固な地盤が得られる。これにより、車両や電車が通過する際に発生する交通振動ａが近隣の民家等へ伝播するのを大幅に低減することができる。
【図面の簡単な説明】
【００２１】
【図１】実施形態１に係る施工ユニットの断面図である。
【図２】実施形態１に係る施工ユニットの形成手順を示す断面図である。
【図３】実施形態１に係る施工ユニットの斜視図である。
【図４】実施形態２に係る施工ユニットの断面図である。
【図５】実施形態３に係る施工ユニットの断面図である。
【図６】振動低減工法における使用状態を表す模式図である。
【符号の説明】
【００２２】
１  施工ユニット
２  下部容器本体
３  タイヤチップ（中詰め材）
４  蓋体
５  切込部
６  噛み合わせ部（突辺）
１０  施工ユニット
１１  下部容器本体
１２  立設部
１３  切込部
１４  噛み合わせ部（突辺）
１５  蓋体
ａ    振動
ｂ    空隙
【図１】
2008133642.tif 000003
【図２】
2008133642.tif 000004
【図３】
2008133642.tif 000005
【図４】
2008133642.tif 000006
【図５】
2008133642.tif 000007
【図６】
2008133642.tif 000008